(57)【要約】  【課題】  圃場における所定の作業に関する作業マップを生成するタブレット端末装置が、知られている。しかしながら、従来のタブレット端末装置に関しては、作業マップの内容の容易な把握が必ずしも実現されていない。  【解決手段】  作業装置１４０を有する作業車両１００によって行われた複数の圃場における所定の作業に関する作業データ２２２と、複数の圃場における作業車両１００の位置に関する位置データ２２１と、を対応付けて記録するメモリー２２０と、作業データ２２２および位置データ２２１に基づいて作業マップ２２３を生成する中央演算ユニット２３０と、作業データ２２２に基づいて作業マップ２２３を識別表示するタッチパネル２４０と、を備えるタブレット端末装置２００である。【選択図】  図１
2016218949.tif 000002
【特許請求の範囲】
【請求項１】
作業装置（１４０）を有する作業車両（１００）によって行われた複数の圃場における所定の作業に関する作業データ（２２２）と、前記複数の圃場における前記作業車両（１００）の位置に関する位置データ（２２１）と、を対応付けて記録するデータ記録手段（２２０）と、
前記作業データ（２２２）および前記位置データ（２２１）に基づいて作業マップ（２２３）を生成する作業マップ生成手段（２３０）と、
前記作業データ（２２２）に基づいて前記作業マップ（２２３）を識別表示する作業マップ識別表示手段（２４０）と、
を備えることを特徴とする表示装置（２００）。
【請求項２】
前記所定の作業に関する前記作業データ（２２２）は、作業日時に関するデータであり、
前記所定の作業より後に行われるべき作業の作業予定日時に関する作業予定日時データを入力する作業予定日時データ入力手段（２４０）と、
前記作業日時と、前記作業予定日時と、を比較して日時差分を算出する日時差分算出手段（２３０）と、
を備え、
前記日時差分の大小関係に基づいて生成された情報が、識別表示されることを特徴とする請求項１に記載の表示装置（２００）。
【請求項３】
前記所定の作業に関する前記作業データ（２２２）は、作業資材使用量に関するデータであり、
前記所定の作業より後に行われるべき作業の作業資材予定使用量に関する作業資材予定使用量データを入力する作業資材予定使用量データ入力手段（２４０）と、
前記作業資材使用量と、前記作業資材予定使用量と、を比較して使用量差分を算出する使用量差分算出手段（２３０）と、
を備え、
前記使用量差分の大小関係に基づいて生成された情報が、識別表示されることを特徴とする請求項１に記載の表示装置（２００）。
【請求項４】
使用予定作業資材の種類に関する使用予定作業資材種類データを入力する使用予定作業資材種類データ入力手段（２４０）を備え、
前記作業マップ（２２３）が識別表示される際には、前記使用予定作業資材種類データに基づいて生成された情報も識別表示されることを特徴とする請求項１に記載の表示装置（２００）。
【請求項５】
栽培予定作物の種類に関する栽培予定作物種類データを入力する栽培予定作物種類データ入力手段（２４０）を備え、
前記作業マップ（２２３）が識別表示される際には、前記栽培予定作物種類データに基づいて生成された情報も識別表示されることを特徴とする請求項１に記載の表示装置（２００）。
【請求項６】
収穫作物の状態に関する収穫作物状態データを入力する収穫作物状態データ入力手段（２４０）を備え、
前記作業マップ（２２３）が識別表示される際には、前記収穫作物状態データに基づいて生成された情報も識別表示されることを特徴とする請求項１に記載の表示装置（２００）。
【請求項７】
前記収穫作物の状態は、前記収穫作物における病害虫または前記収穫作物における雑草の発生状態であることを特徴とする請求項６に記載の表示装置（２００）。
【請求項８】
前記所定の作業に関する前記作業データ（２２２）は、作業所要時間に関するデータであることを特徴とする請求項１に記載の表示装置（２００）。
【請求項９】
前記所定の作業に関する前記作業データ（２２２）は、前記作業車両（１００）の機体揺れに関するデータであることを特徴とする請求項１に記載の表示装置（２００）。
【発明の詳細な説明】
【技術分野】
【０００１】
本発明は、圃場における所定の作業に関する作業マップを生成するタブレット端末装置などの表示装置に関する。
【背景技術】
【０００２】
圃場における所定の作業に関する作業マップを生成するタブレット端末装置が、知られている（たとえば、特許文献１参照）。
【０００３】
このようなタブレット端末装置は、作業装置を有する作業車両によって行われた圃場における所定の作業に関する作業データと、圃場における作業車両の位置に関する位置データと、を対応付けて記録し、作業データおよび位置データに基づいて作業マップを生成する。
【先行技術文献】
【特許文献】
【０００４】
【特許文献１】特開２０１４−２１２７６５号公報
【発明の概要】
【発明が解決しようとする課題】
【０００５】
しかしながら、前述された従来のタブレット端末装置に関しては、作業マップの内容の容易な把握が必ずしも実現されていない。
【０００６】
本発明は、前述された従来の課題を考慮し、作業マップの内容のより容易な把握をサポートすることが可能な表示装置を提供することを目的とする。
【課題を解決するための手段】
【０００７】
第１の本発明は、作業装置（１４０）を有する作業車両（１００）によって行われた複数の圃場における所定の作業に関する作業データ（２２２）と、前記複数の圃場における前記作業車両（１００）の位置に関する位置データ（２２１）と、を対応付けて記録するデータ記録手段（２２０）と、
前記作業データ（２２２）および前記位置データ（２２１）に基づいて作業マップ（２２３）を生成する作業マップ生成手段（２３０）と、
前記作業データ（２２２）に基づいて前記作業マップ（２２３）を識別表示する作業マップ識別表示手段（２４０）と、
を備えることを特徴とする表示装置（２００）である。
【０００８】
第２の本発明は、前記所定の作業に関する前記作業データ（２２２）は、作業日時に関するデータであり、
前記所定の作業より後に行われるべき作業の作業予定日時に関する作業予定日時データを入力する作業予定日時データ入力手段（２４０）と、
前記作業日時と、前記作業予定日時と、を比較して日時差分を算出する日時差分算出手段（２３０）と、
を備え、
前記日時差分の大小関係に基づいて生成された情報が、識別表示されることを特徴とする第１の本発明の表示装置（２００）である。
【０００９】
第３の本発明は、前記所定の作業に関する前記作業データ（２２２）は、作業資材使用量に関するデータであり、
前記所定の作業より後に行われるべき作業の作業資材予定使用量に関する作業資材予定使用量データを入力する作業資材予定使用量データ入力手段（２４０）と、
前記作業資材使用量と、前記作業資材予定使用量と、を比較して使用量差分を算出する使用量差分算出手段（２３０）と、
を備え、
前記使用量差分の大小関係に基づいて生成された情報が、識別表示されることを特徴とする第１の本発明の表示装置（２００）である。
【００１０】
第４の本発明は、使用予定作業資材の種類に関する使用予定作業資材種類データを入力する使用予定作業資材種類データ入力手段（２４０）を備え、
前記作業マップ（２２３）が識別表示される際には、前記使用予定作業資材種類データに基づいて生成された情報も識別表示されることを特徴とする第１の本発明の表示装置（２００）である。
【００１１】
第５の本発明は、栽培予定作物の種類に関する栽培予定作物種類データを入力する栽培予定作物種類データ入力手段（２４０）を備え、
前記作業マップ（２２３）が識別表示される際には、前記栽培予定作物種類データに基づいて生成された情報も識別表示されることを特徴とする第１の本発明の表示装置（２００）である。
【００１２】
第６の本発明は、収穫作物の状態に関する収穫作物状態データを入力する収穫作物状態データ入力手段（２４０）を備え、
前記作業マップ（２２３）が識別表示される際には、前記収穫作物状態データに基づいて生成された情報も識別表示されることを特徴とする第１の本発明の表示装置（２００）である。
【００１３】
第７の本発明は、前記収穫作物の状態は、前記収穫作物における病害虫または前記収穫作物における雑草の発生状態であることを特徴とする第６の本発明の表示装置（２００）である。
【００１４】
第８の本発明は、前記所定の作業に関する前記作業データ（２２２）は、作業所要時間に関するデータであることを特徴とする第１の本発明の表示装置（２００）である。
【００１５】
第９の本発明は、前記所定の作業に関する前記作業データ（２２２）は、前記作業車両（１００）の機体揺れに関するデータであることを特徴とする第１の本発明の表示装置（２００）である。
【発明の効果】
【００１６】
第１の本発明によって、作業装置（１４０）を有する作業車両（１００）によって行われた複数の圃場における所定の作業に関する作業データ（２２２）と、複数の圃場における作業車両（１００）の位置に関する位置データ（２２１）と、を対応付けて記録し、作業データ（２２２）および位置データ（２２１）に基づいて作業マップ（２２３）を生成し、作業データ（２２２）に基づいて作業マップ（２２３）を識別表示することにより、作業マップの内容のより容易な把握をサポートすることが可能である。
【００１７】
第２の本発明によって、第１の本発明の効果に加えて、所定の作業より後に行われるべき作業の作業予定日時に関する作業予定日時データを入力し、作業日時と、作業予定日時と、を比較して日時差分を算出し、日時差分の大小関係に基づいて生成された情報を識別表示することにより、作業の計画のより委細な検討をサポートすることが可能である。
【００１８】
第３の本発明によって、第１の本発明の効果に加えて、所定の作業より後に行われるべき作業の作業資材予定使用量に関する作業資材予定使用量データを入力し、作業資材使用量と、作業資材予定使用量と、を比較して使用量差分を算出し、使用量差分の大小関係に基づいて生成された情報を識別表示することにより、作業の計画のより委細な検討をサポートすることが可能である。
【００１９】
第４の本発明によって、第１の本発明の効果に加えて、作業マップ（２２３）を識別表示する際には、使用予定作業資材種類データに基づいて生成された情報も識別表示することにより、高い利便性を実現することが可能である。
【００２０】
第５の本発明によって、第１の本発明の効果に加えて、作業マップ（２２３）を識別表示する際には、栽培予定作物種類データに基づいて生成された情報も識別表示することにより、高い利便性を実現することが可能である。
【００２１】
第６の本発明によって、第１の本発明の効果に加えて、作業マップ（２２３）を識別表示する際には、収穫作物状態データに基づいて生成された情報も識別表示することにより、高い利便性を実現することが可能である。
【００２２】
第７の本発明によって、第６の本発明の効果に加えて、収穫作物の状態は、収穫作物における病害虫または収穫作物における雑草の発生状態であることにより、高い実用性を実現することが可能である。
【００２３】
第８の本発明によって、第１の本発明の効果に加えて、所定の作業に関する作業データ（２２２）は、作業所要時間に関するデータであることにより、高い利便性を実現することが可能である。
【００２４】
第９の本発明によって、第１の本発明の効果に加えて、所定の作業に関する作業データ（２２２）は、作業車両（１００）の機体揺れに関するデータであることにより、高い利便性を実現することが可能である。
【図面の簡単な説明】
【００２５】
【図１】本発明における実施の形態１の作業車両およびタブレット端末装置のブロック図
【図２】本発明における実施の形態１の作業車両およびタブレット端末装置の模式的な左側面図
【図３】本発明における実施の形態１の作業車両およびタブレット端末装置の模式的な上面図
【図４】本発明における実施の形態１のタブレット端末装置のタッチパネルの画面表示を説明する説明図（その一）
【図５】本発明における実施の形態１のタブレット端末装置のタッチパネルの画面表示を説明する説明図（その二）
【図６】本発明における実施の形態１のタブレット端末装置のタッチパネルの画面表示を説明する説明図（その三）
【図７】本発明における実施の形態１のタブレット端末装置のタッチパネルの画面表示を説明する説明図（その四）
【図８】本発明における実施の形態２のタブレット端末装置のタッチパネルの画面表示を説明する説明図（その一）
【図９】本発明における実施の形態２のタブレット端末装置のタッチパネルの画面表示を説明する説明図（その二）
【図１０】本発明における実施の形態２のタブレット端末装置のタッチパネルの画面表示を説明する説明図（その三）
【発明を実施するための形態】
【００２６】
以下、図面を参照しながら、本発明における実施の形態について詳細に説明する。
【００２７】
（実施の形態１）
図１〜３を参照しながら、本実施の形態の作業車両１００およびタブレット端末装置２００の構成および動作について具体的に説明する。
【００２８】
ここに、図１は、本発明における実施の形態１の作業車両１００およびタブレット端末装置２００のブロック図であり、図２は、本発明における実施の形態１の作業車両１００およびタブレット端末装置２００の模式的な左側面図であり、図３は、本発明における実施の形態１の作業車両１００およびタブレット端末装置２００の模式的な上面図である。
【００２９】
まず、作業車両１００の構成および動作について説明する。
【００３０】
作業車両１００は、位置データ取得部１１０と、制御部１２０と、作業車両通信部１３０と、作業装置１４０と、作業装置動作検知部１５０と、を有し、複数の圃場における所定の作業を行う車両である。
【００３１】
作業装置動作検知部１５０は、たとえば、複数の圃場における所定の作業に関する作業データ２２２を取得するために、作業装置１４０の動作を検知する手段である。
【００３２】
位置データ取得部１１０は、たとえば、複数の圃場における作業車両１００の位置に関する位置データ２２１を取得する手段である。
【００３３】
制御部１２０は、たとえば、作業データ２２２と、位置データ２２１と、を作業車両通信部１３０に送信させる手段である。
【００３４】
ついで、タブレット端末装置２００の構成および動作について説明する。
【００３５】
タブレット端末装置２００は、送受信ユニット２１０と、メモリー２２０と、中央演算ユニット２３０と、タッチパネル２４０と、を有する端末装置である。
【００３６】
送受信ユニット２１０は、たとえば、作業データ２２２と、位置データ２２１と、を受信する手段である。
【００３７】
メモリー２２０は、たとえば、作業装置１４０を有する作業車両１００によって行われた複数の圃場における所定の作業に関する作業データ２２２と、複数の圃場における作業車両１００の位置に関する位置データ２２１と、を対応付けて記録する手段である。
【００３８】
中央演算ユニット２３０は、たとえば、作業データ２２２および位置データ２２１に基づいて作業マップ２２３を生成する手段である。
【００３９】
タッチパネル２４０は、たとえば、作業データ２２２に基づいて作業マップ２２３を識別表示する手段である。
【００４０】
苗、燃料、肥料および薬剤などの作業資材、または作業日時などに関する作業データ２２２が色の種類または濃淡、および線の変更などを利用して複数の圃場について識別表示されるので、当該年度における後の作業、または次年度における同じ作業の計画などを委細に検討し、作業コストおよび作業資材消費量の低減を図ることが可能である（図４参照）。
【００４１】
いうまでもなく、作業経歴マップとして利用可能な作業マップ２２３を識別表示するために利用される作業データ２２２の内容などには、つぎに例示されるが如き種々の具体例が考えられる。
【００４２】
代掻き日が例示され、田植え時期に関する計画立案への利用が期待される。田植え日が例示され、追肥および収穫時期に関する計画立案への利用が期待される。
【００４３】
施肥量、植付け株間および植付け株数、一株あたりの植付け本数、苗使用量、ならびに追肥量が例示され、最適量のデータベース化への利用が期待される。圃場を乾燥させるまでの日数、および圃場を乾燥してからの日数が例示され、最適圃場管理方法のデータベース化への利用が期待される。稲および肥料の品種が例示され、最適品種のデータベース化への利用が期待される。
【００４４】
収穫量が例示され、次年度の栽培に関する基準作成への利用が期待される。稲の倒伏量、単位面積あたりの作業時間、およびＧＰＳ（Ｇｌｏｂａｌ  Ｐｏｓｉｔｉｏｎｉｎｇ  Ｓｙｓｔｅｍ）装置を利用して収穫時に記録可能な、単位面積あたりの病害虫および雑草の発生状態が例示され、次年度の栽培に関する対応策作成への利用が期待される。ＧＰＳ装置を利用して記録可能な、田植え時の作業機の挙動ならびに収穫時の作業機の停止箇所および停止時間が例示され、次年度の整地に関する対応策作成への利用が期待される。作業者が例示され、種々のデータとの照合を併用しての対応策作成への利用が期待される。
【００４５】
さて、本実施の形態においては、以下で説明される通り、所定の作業に関する作業データ２２２は作業日時に関するデータである。
【００４６】
クロックなどを利用して取得された作業日時を示す正確なデータが複数の圃場について視覚化されるので、作業能率を向上するための委細な作業計画検討が可能である。
【００４７】
なお、所定の作業に関する作業データ２２２が作業所要時間に関するデータであるような変形例としての別の実施の形態も、考えられる。このような別の実施の形態においては、タイマーなどを利用して取得された作業所要時間を示す時間データが複数の圃場について視覚化されるので、作業能率を向上するための委細な作業計画検討が可能である。
【００４８】
また、所定の作業に関する作業データ２２２が作業車両１００の機体揺れに関するデータであるような変形例としての別の実施の形態も、考えられる。このような別の実施の形態においては、位置データ取得部１１０などを利用して取得された作業車両１００の機体揺れを示す位置座標データが複数の圃場について視覚化されるので、直進時の機体左右揺れが少ない整地および機体調整を実行するための委細な作業計画検討が可能である。
【００４９】
つぎに、所定の作業は代掻きであり、作業日時は代掻き日である具体例における、本実施の形態の作業車両１００およびタブレット端末装置２００の構成および動作について具体的に説明する。
【００５０】
（ベーシック機能）
作業装置１４０を有する作業車両１００によって行われた複数の圃場における代掻きに関する作業データ２２２と、複数の圃場における作業車両１００の位置に関する位置データ２２１と、を対応付けて記録し、作業データ２２２および位置データ２２１に基づいて作業マップ２２３を生成し、作業データ２２２に基づいて作業マップ２２３を識別表示するベーシック機能について具体的に説明する（図４参照）。
【００５１】
さて、作業装置動作検知部１５０は、複数の圃場における代掻きに関する作業データ２２２を取得するために、作業装置１４０の動作を検知し、位置データ取得部１１０は、複数の圃場における作業車両１００の位置に関する位置データ２２１を取得し、制御部１２０は、作業データ２２２と、位置データ２２１と、を作業車両通信部１３０に送信させる。
【００５２】
このときにおいては、作業装置１４０は、耕耘ロータリ装置などであり、作業装置動作検知部１５０は、そのような耕耘ロータリ装置の動作を検知する手段である。
【００５３】
そして、位置データ取得部１１０は、作業車両１００に載置されたＧＰＳ装置などである。
【００５４】
なお、タブレット端末装置２００が作業車両１００の操縦ユニットなどに載置され、位置データ取得部１１０がタブレット端末装置２００に内蔵されたＧＰＳ装置であるような変形例としての実施の形態も、考えられる。
【００５５】
送受信ユニット２１０は、作業データ２２２と、位置データ２２１と、を受信する。
【００５６】
作業データ２２２および位置データ２２１が受信されるタイミングなどは、限定されない。たとえば、さまざまなタイミングで送信される作業データ２２２および位置データ２２１は、リアルタイムで受信されてもよいし、ネットワークに接続されたサーバーなどに一旦は蓄積され、その後に受信されてもよい。
【００５７】
メモリー２２０は、作業装置１４０を有する作業車両１００によって行われた複数の圃場における代掻きに関する作業データ２２２と、複数の圃場における作業車両１００の位置に関する位置データ２２１と、を対応付けて記録する。
【００５８】
このときにおいては、代掻きに関する作業データ２２２は、代掻き日に関するデータである。
【００５９】
なお、メモリー２２０がタブレット端末装置２００に外付けされたＨＤＤ（Ｈａｒｄ  Ｄｉｓｃ  Ｄｒｉｖｅ）装置であるような変形例としての実施の形態も、考えられる。
【００６０】
中央演算ユニット２３０は、作業データ２２２および位置データ２２１に基づいて作業マップ２２３を生成する。
【００６１】
中央演算ユニット２３０が、マッピングアプリケーションソフトウェアと協働し、作業データ２２２および位置データ２２１に基づいて作業マップ２２３を生成するタイミングなどは、限定されない。
【００６２】
そして、図４に示されているように、タッチパネル２４０は、作業データ２２２に基づいて作業マップ２２３を識別表示する。
【００６３】
ここに、図４は、本発明における実施の形態１のタブレット端末装置２００のタッチパネル２４０の画面表示を説明する説明図（その一）である。
【００６４】
代掻き日がより早い場所は、より小さい明度を利用して示されている。具体的には、代掻き日が四月下旬以前である場所は３０％程度の明度を利用して示されており、代掻き日が五月上旬である場所は６０％程度の明度を利用して示されており、代掻き日が五月中旬以後である場所は９０％程度の明度を利用して示されている。
【００６５】
代掻き日が五月上旬である圃場１の北側部分は、６０％程度の明度を利用して示されている。代掻き日が四月下旬以前である圃場１の南側部分は、３０％程度の明度を利用して示されている。代掻き日が五月中旬以後である圃場２は、９０％程度の明度を利用して示されている。代掻き日が五月上旬である圃場３は、６０％程度の明度を利用して示されている。代掻き日が四月下旬以前である圃場４は、３０％程度の明度を利用して示されている。代掻き日が五月上旬である圃場５は、６０％程度の明度を利用して示されている。代掻き日が五月中旬以後である圃場６は、９０％程度の明度を利用して示されている。
【００６６】
過去の作業についての作業日時に基づいて生成された情報が識別表示されるので、当該年度における後の作業などについての作業計画を簡便に検討し、品質および収穫量の向上および作物の生育良化を図ることが可能である。
【００６７】
（第１オプション機能）
所定の作業より後に行われるべき作業の作業予定日時に関する作業予定日時データを入力し、作業日時と、作業予定日時と、を比較して日時差分を算出し、日時差分の大小関係に基づいて生成した情報を識別表示する第１オプション機能について具体的に説明する（図５参照）。
【００６８】
本実施の形態においては、すでに説明された通り、所定の作業は代掻きであり、作業日時は代掻き日である。
【００６９】
そして、本実施の形態においては、以下で説明される通り、所定の作業より後に行われるべき作業は田植えであり、作業予定日時は田植え予定日であり、作業予定日時データは田植え予定日データであり、日時差分は代掻き日と田植え予定日との差分である。
【００７０】
さて、タッチパネル２４０は、田植え予定日データを入力する。
【００７１】
田植え予定日データが入力されるタイミングなどは、限定されない。たとえば、複数の圃場についてマニュアルで個別的に入力されてもよいし、ネットワークに接続されたサーバーなどから標準的な基準を与えるデフォルトデータである平均田植え日データとして一括的に入力されてもよい。
【００７２】
中央演算ユニット２３０は、代掻き日と、田植え予定日と、を比較して代掻き日と田植え予定日との差分を算出する。
【００７３】
そして、図５に示されているように、代掻き日と田植え予定日との差分の大小関係に基づいて生成された情報が、識別表示される。
【００７４】
ここに、図５は、本発明における実施の形態１のタブレット端末装置２００のタッチパネル２４０の画面表示を説明する説明図（その二）である。
【００７５】
代掻き日と田植え予定日との差分がより小さい場所は、より小さい明度を利用して示されている。具体的には、代掻き日と田植え予定日との差分が９日以下である場所は３０％程度の明度を利用して示されており、代掻き日と田植え予定日との差分が１０日以上１９日以下である場所は６０％程度の明度を利用して示されており、代掻き日と田植え予定日との差分が２０日以上である場所は９０％程度の明度を利用して示されている。
【００７６】
代掻き日と田植え予定日との差分が１０日以上１９日以下である圃場１の北側部分は、６０％程度の明度を利用して示されている。代掻き日と田植え予定日との差分が９日以下である圃場１の南側部分は、３０％程度の明度を利用して示されている。代掻き日と田植え予定日との差分が２０日以上である圃場２は、９０％程度の明度を利用して示されている。代掻き日と田植え予定日との差分が１０日以上１９日以下である圃場３は、６０％程度の明度を利用して示されている。代掻き日と田植え予定日との差分が９日以下である圃場４は、３０％程度の明度を利用して示されている。代掻き日と田植え予定日との差分が１０日以上１９日以下である圃場５は、６０％程度の明度を利用して示されている。代掻き日と田植え予定日との差分が２０日以上である圃場６は、９０％程度の明度を利用して示されている。
【００７７】
過去の作業についての作業日時、および将来の作業についての作業予定日時に基づいて生成された情報が識別表示されるので、作業計画を簡便に検討し、品質および収穫量の向上および作物の生育良化を図ることが可能である。
【００７８】
（第２オプション機能）
使用予定作業資材の種類に関する使用予定作業資材種類データを入力し、作業マップ２２３を識別表示する際には、使用予定作業資材種類データに基づいて生成した情報も識別表示する第２オプション機能について具体的に説明する（図６参照）。
【００７９】
本実施の形態においては、以下で説明される通り、使用予定作業資材は散布予定薬剤であり、使用予定作業資材種類データは散布予定薬剤種類データである。
【００８０】
なお、使用予定作業資材は施肥予定肥料であり、使用予定作業資材種類データは施肥予定肥料種類データであるような変形例としての実施の形態も、考えられる。このような別の実施の形態においては、標高が高い上段の圃場から標高が低い下段の圃場に関しては、上段の圃場で供給された肥料が水とともに流れ込むことを考慮して、上段の圃場における施肥量は多く、上段の圃場における施肥量は少ないように作業計画を簡便に検討することが可能である。
【００８１】
さて、タッチパネル２４０は、散布予定薬剤種類データを入力する。
【００８２】
散布予定薬剤種類データが入力されるタイミングなどは、限定されない。
【００８３】
そして、図６に示されているように、作業マップ２２３が識別表示される際には、散布予定薬剤種類データに基づいて生成された情報も識別表示される。
【００８４】
ここに、図６は、本発明における実施の形態１のタブレット端末装置２００のタッチパネル２４０の画面表示を説明する説明図（その三）である。
【００８５】
すでに説明された通り、代掻き日がより早い場所は、より小さい明度を利用して示されている。
【００８６】
そして、散布予定薬剤が同じ場所は、同じパターンを利用して示されている。具体的には、散布予定薬剤が殺虫剤である場所は縦線パターンを利用して示されており、散布予定薬剤が殺菌剤である場所は横線パターンを利用して示されており、散布予定薬剤が除草剤である場所は斜線パターンを利用して示されている。
【００８７】
代掻き日が五月上旬であり散布予定薬剤が殺虫剤である圃場１の北側部分は、６０％程度の明度を利用して示されている。代掻き日が四月下旬以前であり散布予定薬剤が殺虫剤である圃場１の南側部分は、３０％程度の明度を利用して示されている。代掻き日が五月中旬以後であり散布予定薬剤が除草剤である圃場２は、９０％程度の明度を利用して示されている。代掻き日が五月上旬であり散布予定薬剤が殺虫剤である圃場３は、６０％程度の明度を利用して示されている。代掻き日が四月下旬以前であり散布予定薬剤が殺菌剤である圃場４は、３０％程度の明度を利用して示されている。代掻き日が五月上旬であり散布予定薬剤が殺虫剤である圃場５は、６０％程度の明度を利用して示されている。代掻き日が五月中旬以後であり散布予定薬剤が除草剤である圃場６は、９０％程度の明度を利用して示されている。
【００８８】
使用予定作業資材種類データに基づいて生成された情報も識別表示されるので、使用予定作業資材が不必要に準備される恐れが少なく、周辺環境の汚染防止を図ることが可能である。そして、さまざまな使用予定作業資材の集積場所を使用予定作業資材が使用される圃場の近傍に集中させ、使用予定作業資材が効率的に回収されるように作業計画を簡便に検討することが可能である。
【００８９】
（第３オプション機能）
収穫作物の状態に関する収穫作物状態データを入力し、作業マップ２２３を識別表示する際には、収穫作物状態データに基づいて生成した情報も識別表示する第３オプション機能について具体的に説明する（図７参照）。
【００９０】
本実施の形態においては、以下で説明される通り、収穫作物の状態は収穫作物における病害虫の発生状態である。
【００９１】
なお、収穫作物の状態が収穫作物における雑草の発生状態であるような変形例としての別の実施の形態も、考えられる。
【００９２】
さて、タッチパネル２４０は、収穫作物における病害虫の発生状態に関する収穫作物状態データを入力する。
【００９３】
収穫作物状態データが入力されるタイミングなどは、限定されない。たとえば、マニュアルで入力されてもよいし、収穫量センサーである収穫コンバイン収穫機ロードセルによる状態検知結果、または倒伏稲の引起時に増速させられるコンバイン収穫機引起し装置の増減スイッチの作動時間検知結果などに基づいて自動的に入力されてもよい。
【００９４】
そして、図７に示されているように、作業マップ２２３が識別表示される際には、収穫作物状態データに基づいて生成された情報も識別表示される。
【００９５】
ここに、図７は、本発明における実施の形態１のタブレット端末装置２００のタッチパネル２４０の画面表示を説明する説明図（その四）である。
【００９６】
すでに説明された通り、代掻き日がより早い場所は、より小さい明度を利用して示されている。
【００９７】
そして、収穫作物における病害虫の発生状態が同じ場所は、同じパターンを利用して示されている。具体的には、収穫作物における病害虫の発生状態が良好である場所は縦線パターンを利用して示されており、収穫作物における病害虫の発生状態が普通である場所は横線パターンを利用して示されており、収穫作物における病害虫の発生状態が不良である場所は斜線パターンを利用して示されている。
【００９８】
代掻き日が五月上旬であり収穫作物における病害虫の発生状態が良好である圃場１の北側部分は、６０％程度の明度を利用して示されている。代掻き日が四月下旬以前であり収穫作物における病害虫の発生状態が良好である圃場１の南側部分は、３０％程度の明度を利用して示されている。代掻き日が五月中旬以後であり収穫作物における病害虫の発生状態が不良である圃場２は、９０％程度の明度を利用して示されている。代掻き日が五月上旬であり収穫作物における病害虫の発生状態が良好である圃場３は、６０％程度の明度を利用して示されている。代掻き日が四月下旬以前であり収穫作物における病害虫の発生状態が普通である圃場４は、３０％程度の明度を利用して示されている。代掻き日が五月上旬であり収穫作物における病害虫の発生状態が良好である圃場５は、６０％程度の明度を利用して示されている。代掻き日が五月中旬以後であり収穫作物における病害虫の発生状態が不良である圃場６は、９０％程度の明度を利用して示されている。
【００９９】
収穫作物状態データに基づいて生成された情報も識別表示されるので、圃場の土作りから収穫までの総合的な作業計画を簡便に検討し、品質および収穫量の向上および作物の生育良化を図ることが可能である。そして、作業コストおよび作業資材消費量の適正化を図ることが、可能である。
【０１００】
（実施の形態２）
本実施の形態の作業車両１００およびタブレット端末装置２００の構成および動作について具体的に説明する。
【０１０１】
本実施の形態の作業車両１００およびタブレット端末装置２００の構成および動作は、前述された実施の形態１の作業車両１００およびタブレット端末装置２００の構成および動作に類似している。
【０１０２】
そこで、以下では、主としてこれらの相違点について説明する。
【０１０３】
本実施の形態においては、以下で説明される通り、所定の作業に関する作業データ２２２は作業資材使用量に関するデータである。
【０１０４】
センサーなどを利用して取得された作業資材使用量を示す正確なデータが複数の圃場について視覚化されるので、作業能率を向上するための委細な作業計画検討が可能である。
【０１０５】
つぎに、所定の作業は今春施肥であり、作業資材使用量は今春施肥量である具体例における、本実施の形態の作業車両１００およびタブレット端末装置２００の構成および動作について具体的に説明する。
【０１０６】
（ベーシック機能）
作業装置１４０を有する作業車両１００によって行われた複数の圃場における今春施肥に関する作業データ２２２と、複数の圃場における作業車両１００の位置に関する位置データ２２１と、を対応付けて記録し、作業データ２２２および位置データ２２１に基づいて作業マップ２２３を生成し、作業データ２２２に基づいて作業マップ２２３を識別表示するベーシック機能について具体的に説明する（図８参照）。
【０１０７】
さて、作業装置動作検知部１５０は、複数の圃場における今春施肥に関する作業データ２２２を取得するために、作業装置１４０の動作を検知し、位置データ取得部１１０は、複数の圃場における作業車両１００の位置に関する位置データ２２１を取得し、制御部１２０は、作業データ２２２と、位置データ２２１と、を作業車両通信部１３０に送信させる。
【０１０８】
このときにおいては、作業装置１４０は、施肥装置などであり、作業装置動作検知部１５０は、そのような施肥装置の動作を検知する手段である。
【０１０９】
送受信ユニット２１０は、作業データ２２２と、位置データ２２１と、を受信する。
【０１１０】
メモリー２２０は、作業装置１４０を有する作業車両１００によって行われた複数の圃場における今春施肥に関する作業データ２２２と、複数の圃場における作業車両１００の位置に関する位置データ２２１と、を対応付けて記録する。
【０１１１】
このときにおいては、今春施肥に関する作業データ２２２は、今春施肥量に関するデータである。
【０１１２】
中央演算ユニット２３０は、作業データ２２２および位置データ２２１に基づいて作業マップ２２３を生成する。
【０１１３】
そして、図８に示されているように、タッチパネル２４０は、作業データ２２２に基づいて作業マップ２２３を識別表示する。
【０１１４】
ここに、図８は、本発明における実施の形態２のタブレット端末装置２００のタッチパネル２４０の画面表示を説明する説明図（その一）である。
【０１１５】
今春施肥量がより少ない場所は、より小さい明度を利用して示されている。具体的には、今春施肥量が２ｋｇ／ａ未満である場所は３０％程度の明度を利用して示されており、今春施肥量が２ｋｇ／ａ以上３ｋｇ／ａ未満である場所は６０％程度の明度を利用して示されており、今春施肥量が３ｋｇ／ａ以上である場所は９０％程度の明度を利用して示されている。
【０１１６】
今春施肥量が２ｋｇ／ａ以上３ｋｇ／ａ未満である圃場１の北側部分は、６０％程度の明度を利用して示されている。今春施肥量が２ｋｇ／ａ未満である圃場１の南側部分は、３０％程度の明度を利用して示されている。今春施肥量が３ｋｇ／ａ以上である圃場２は、９０％程度の明度を利用して示されている。今春施肥量が２ｋｇ／ａ以上３ｋｇ／ａ未満である圃場３は、６０％程度の明度を利用して示されている。今春施肥量が２ｋｇ／ａ未満である圃場４は、３０％程度の明度を利用して示されている。今春施肥量が２ｋｇ／ａ以上３ｋｇ／ａ未満である圃場５は、６０％程度の明度を利用して示されている。今春施肥量が３ｋｇ／ａ以上である圃場６は、９０％程度の明度を利用して示されている。
【０１１７】
過去の作業についての作業資材使用量に基づいて生成された情報が識別表示されるので、次年度における同じ作業などについての作業計画を簡便に検討し、品質および収穫量の向上および作物の生育良化を図ることが可能である。
【０１１８】
（第１オプション機能）
所定の作業より後に行われるべき作業の作業資材予定使用量に関する作業資材予定使用量データを入力し、作業資材使用量と、作業資材予定使用量と、を比較して使用量差分を算出し、使用量差分の大小関係に基づいて生成した情報を識別表示する第１オプション機能について具体的に説明する（図９参照）。
【０１１９】
本実施の形態においては、すでに説明された通り、所定の作業は今春施肥であり、作業資材使用量は今春施肥量である。
【０１２０】
そして、本実施の形態においては、以下で説明される通り、所定の作業より後に行われるべき作業は来春施肥であり、作業資材予定使用量は来春予定施肥量であり、作業資材予定使用量データは来春予定施肥量データであり、使用量差分は今春施肥量と来春予定施肥量との差分である。
【０１２１】
さて、タッチパネル２４０は、来春予定施肥量データを入力する。
【０１２２】
来春予定施肥量データが入力されるタイミングなどは、限定されない。たとえば、複数の圃場についてマニュアルで個別的に入力されてもよいし、ネットワークに接続されたサーバーなどから標準的な基準を与えるデフォルトデータである平均春施肥量データとして一括的に入力されてもよい。
【０１２３】
中央演算ユニット２３０は、今春施肥量と、来春予定施肥量と、を比較して今春施肥量と来春予定施肥量との差分を算出する。
【０１２４】
そして、図９に示されているように、今春施肥量と来春予定施肥量との差分の大小関係に基づいて生成された情報が、識別表示される。
【０１２５】
ここに、図９は、本発明における実施の形態２のタブレット端末装置２００のタッチパネル２４０の画面表示を説明する説明図（その二）である。
【０１２６】
今春施肥量と来春予定施肥量との差分がより小さい場所は、より小さい明度を利用して示されている。具体的には、今春施肥量と来春予定施肥量との差分が１ｋｇ／ａ未満である場所は３０％程度の明度を利用して示されており、今春施肥量と来春予定施肥量との差分が１ｋｇ／ａ以上２ｋｇ／ａ未満である場所は６０％程度の明度を利用して示されており、今春施肥量と来春予定施肥量との差分が２ｋｇ／ａ以上である場所は９０％程度の明度を利用して示されている。
【０１２７】
今春施肥量と来春予定施肥量との差分が１ｋｇ／ａ以上２ｋｇ／ａ未満である圃場１の北側部分は、６０％程度の明度を利用して示されている。今春施肥量と来春予定施肥量との差分が１ｋｇ／ａ未満である圃場１の南側部分は、３０％程度の明度を利用して示されている。今春施肥量と来春予定施肥量との差分が２ｋｇ／ａ以上である圃場２は、９０％程度の明度を利用して示されている。今春施肥量と来春予定施肥量との差分が１ｋｇ／ａ以上２ｋｇ／ａ未満である圃場３は、６０％程度の明度を利用して示されている。今春施肥量と来春予定施肥量との差分が１ｋｇ／ａ未満である圃場４は、３０％程度の明度を利用して示されている。今春施肥量と来春予定施肥量との差分が１ｋｇ／ａ以上２ｋｇ／ａ未満である圃場５は、６０％程度の明度を利用して示されている。今春施肥量と来春予定施肥量との差分が２ｋｇ／ａ以上である圃場６は、９０％程度の明度を利用して示されている。
【０１２８】
過去の作業についての作業資材使用量、および将来の作業についての作業資材予定使用量に基づいて生成された情報が識別表示されるので、作業計画を簡便に検討し、品質および収穫量の向上および作物の生育良化を図ることが可能である。
【０１２９】
（第２オプション機能）
栽培予定作物の種類に関する栽培予定作物種類データを入力し、作業マップ２２３を識別表示する際には、栽培予定作物種類データに基づいて生成した情報も識別表示する第２オプション機能について具体的に説明する（図１０参照）。
【０１３０】
本実施の形態においては、以下で説明される通り、栽培予定作物は育成予定野菜であり、栽培予定作物種類データは育成予定野菜種類データである。
【０１３１】
さて、タッチパネル２４０は、育成予定野菜種類データを入力する。
【０１３２】
育成予定野菜種類データが入力されるタイミングなどは、限定されない。
【０１３３】
そして、図１０に示されているように、作業マップ２２３が識別表示される際には、育成予定野菜種類データに基づいて生成された情報も識別表示される。
【０１３４】
ここに、図１０は、本発明における実施の形態２のタブレット端末装置２００のタッチパネル２４０の画面表示を説明する説明図（その三）である。
【０１３５】
すでに説明された通り、今春施肥量がより少ない場所は、より小さい明度を利用して示されている。
【０１３６】
そして、育成予定野菜が同じ場所は、同じパターンを利用して示されている。具体的には、育成予定野菜がトマトである場所は縦線パターンを利用して示されており、育成予定野菜がナスである場所は横線パターンを利用して示されており、育成予定野菜がキュウリである場所は斜線パターンを利用して示されている。
【０１３７】
今春施肥量が２ｋｇ／ａ以上３ｋｇ／ａ未満であり育成予定野菜がトマトである圃場１の北側部分は、６０％程度の明度を利用して示されている。今春施肥量が２ｋｇ／ａ未満であり育成予定野菜がトマトである圃場１の南側部分は、３０％程度の明度を利用して示されている。今春施肥量が３ｋｇ／ａ以上であり育成予定野菜がキュウリである圃場２は、９０％程度の明度を利用して示されている。今春施肥量が２ｋｇ／ａ以上３ｋｇ／ａ未満であり育成予定野菜がトマトである圃場３は、６０％程度の明度を利用して示されている。今春施肥量が２ｋｇ／ａ未満であり育成予定野菜がナスである圃場４は、３０％程度の明度を利用して示されている。今春施肥量が２ｋｇ／ａ以上３ｋｇ／ａ未満であり育成予定野菜がトマトである圃場５は、６０％程度の明度を利用して示されている。今春施肥量が３ｋｇ／ａ以上であり育成予定野菜がキュウリである圃場６は、９０％程度の明度を利用して示されている。
【０１３８】
栽培予定作物種類データに基づいて生成された情報も識別表示されるので、連作が行われる恐れが少なく、複数の圃場における栽培レイアウトが作業時期および作業内容などの観点から栽培予定作物の種類に適合するように作業計画を簡便に検討することが可能である。
【０１３９】
なお、タブレット端末装置２００は、本発明の表示装置の一例である。
【０１４０】
また、メモリー２２０は、本発明のデータ記録手段の一例である。
【０１４１】
また、中央演算ユニット２３０は、本発明の作業マップ生成手段の一例であり、本発明の日時差分算出手段の一例であり、本発明の使用量差分算出手段の一例である。
【０１４２】
また、タッチパネル２４０は、本発明の作業マップ識別表示手段の一例であり、本発明の作業予定日時データ入力手段の一例であり、本発明の作業資材予定使用量データ入力手段の一例であり、本発明の使用予定作業資材種類データ入力手段の一例であり、本発明の栽培予定作物種類データ入力手段の一例であり、本発明の収穫作物状態データ入力手段の一例である。
【０１４３】
ところで、タブレット端末装置２００が作業車両１００の操縦ユニットに載置されてメーターパネルの役割も果たす仕様が、考えられる。
【０１４４】
すなわち、タブレット端末装置２００は、メーターパネルの代わりにハンドルポストの下部近傍に設けられたタブレット端末装置ホルダーに載置され、作業車両１００の種々のデバイスと有線通信または無線通信を行う。
【０１４５】
このような仕様においては、メーターパネル専用液晶ユニットは不要である。
【０１４６】
すると、作業車両１００の部品点数が削減されるので、廉価性が実現される。
【０１４７】
そして、従来のメーターパネルスイッチ類のタッチパネル表示が行われ、エンジン回転数情報、燃料残量情報、およびアラート情報などが優れた表示性能を有するタッチパネル２４０に無理なく表示されるので、表示デザイン自由度が向上され、多様な表示形式が実現される。たとえば、作業車両１００の始動時においては通常のメーターパネル情報表示が行われ、その後はメーターパネル情報表示とアグリサポート情報表示との切替えが作業者の指示に応じて行われる。エンジン回転数情報などの作業者が見たい情報の拡大表示機能、後方確認のためのバックモニター表示機能、および警告音をともなう異常発生警告表示機能の実装なども、容易である。
【０１４８】
さらに、タブレット端末装置ホルダーには、携帯電話用充電器に類似したタブレット端末装置用充電器が設けられていてもよい。
【産業上の利用可能性】
【０１４９】
本発明における表示装置は、作業マップの内容のより容易な把握をサポートすることが可能であり、圃場における所定の作業に関する作業マップを生成するタブレット端末装置などの表示装置に利用する目的に有用である。
【符号の説明】
【０１５０】
１００  作業車両
１１０  位置データ取得部
１２０  制御部
１３０  作業車両通信部
１４０  作業装置
１５０  作業装置動作検知部
２００  タブレット端末装置
２１０  送受信ユニット
２２０  メモリー
２２１  位置データ
２２２  作業データ
２２３  作業マップ
２３０  中央演算ユニット
２４０  タッチパネル
【図１】
2016218949.tif 000003
【図２】
2016218949.tif 000004
【図３】
2016218949.tif 000005
【図４】
2016218949.tif 000006
【図５】
2016218949.tif 000007
【図６】
2016218949.tif 000008
【図７】
2016218949.tif 000009
【図８】
2016218949.tif 000010
【図９】
2016218949.tif 000011
【図１０】
2016218949.tif 000012